(57)【要約】【課題】本発明の目的は、通信レスポンス速度の低下や回線費用の増大を防止し、検索及び更新する企業情報等の漏洩がなく、セキュリティの面において安全な通信網を介した情報検索サービス方法を提供することにある。【解決手段】本発明は、情報を検索するユーザ側と検索結果をユーザ側に提供する検索サービス業者側との通信網を介した情報検索サービス方法において、前記ユーザ側が検索を行う情報を情報データベースとして保存管理し、前記検索サービス業者側が前記情報に含まれるキーワードとそれに対応する情報の位置を指し示すリンク情報とに整理し索引データベースとして保存管理することを特徴とする。【選択図】　図１
2004145417.tif 000002
【特許請求の範囲】
【請求項１】
情報を検索するユーザ側と前記検索結果を前記ユーザ側に提供する検索サービス業者側との通信網を介した情報検索サービス方法において、前記ユーザ側が検索を行う前記情報を情報データベースとして保存管理し、前記検索サービス業者側が前記情報をキーワードとそれに対応する前記情報の位置を指し示すリンク情報とに整理し索引データベースとして保存管理することを特徴とする通信網を介した情報検索サービス方法。
【請求項２】
情報を検索するユーザ側と前記検索結果を前記ユーザ側に提供する検索サービス業者側との通信網を介した情報検索サービス方法において、前記ユーザ側が検索を行う前記情報を情報データベースとして保存管理し、前記検索サービス業者側が前記情報を検索キーワードとそれに対応する前記情報の位置を指し示すリンク情報とに整理し索引データベースとして保存管理すると共に前記ユーザ側から受け取った前記検索キーワードに該当する前記リンク情報を前記ユーザ側に通信網を介して提供することを特徴とする通信網を介した情報検索サービス方法。
【請求項３】
情報を検索するユーザ側と前記検索結果を前記ユーザ側に提供する検索サービス業者側との通信網を介した情報検索サービス方法において、前記ユーザ側が検索を行う前記情報を情報データベースとして保存管理するステップと、前記検索サービス業者側が前記情報に含まれる検索キーワードとそれに対応する前記情報の位置を指し示すリンク情報とに整理し索引データベースとして保存管理するステップと、前記検索サービス業者側が前記ユーザ側から通信網を介して前記検索キーワードを受け取るステップと、前記検索サービス業者側が前記ユーザ側から前記リンク情報を受け取るステップと、前記検索サービス業者側が受け取った前記検索キーワードと前記リンク情報とで前記索引データベースに更新させるステップとを有することを特徴とする通信網を介した情報検索サービス方法。
【請求項４】
情報を検索するユーザ側と前記検索結果を前記ユーザ側に提供する検索サービス業者側との通信網を介した情報検索サービス方法において、前記ユーザ側が検索を行う前記情報を情報データベースとして保存管理するステップと、前記検索サービス業者側が前記情報に含まれる検索キーワードとそれに対応する前記情報の位置を指し示すリンク情報とに整理した索引データベースとして保存管理するステップと、前記検索サービス業者側が前記ユーザ側から通信網を介して検索キーワードを受け取るステップと、前記検索サービス業者側が前記ユーザ側から受け取った前記検索キーワードが前記索引データベースより見つかれば対応する前記リンク情報を取り出すステップと、前記ユーザ側が前記検索サービス業者側から通信網を介して前記リンク情報を受け取るステップと、前記ユーザ側が受け取った前記リンク情報を基に前記情報データベースから検索結果を取り出すステップとを有することを特徴とする通信網を介した情報検索サービス方法。
【請求項５】
情報を検索するユーザ側と前記検索結果を前記ユーザ側に提供する検索サービス業者側との通信網を介した情報検索サービス方法において、前記ユーザ側が検索を行う前記情報を情報データベースとして保存管理するステップと、前記検索サービス業者側が前記情報に含まれる検索キーワードとそれに対応する前記情報の位置を指し示すリンク情報とに整理した索引データベースとして保存管理するステップと、前記検索サービス業者側が前記ユーザ側から通信網を介して前記検索キーワードを受け取るステップと、前記検索サービス業者側が前記ユーザ側から前記リンク情報を受け取るステップと、前記検索サービス業者側が受け取った前記検索キーワードと前記リンク情報とで前記索引データベースに更新させるステップと、前記検索サービス業者側が前記ユーザ側から通信網を介して検索キーワードを受け取るステップと、前記検索サービス業者側が前記ユーザ側から受け取った前記検索キーワードが前記更新された索引データベースより見つかれば対応する前記リンク情報を取り出すステップと、前記ユーザ側が前記検索サービス業者側から通信網を介して前記リンク情報を受け取るステップと、前記ユーザ側が受け取った前記リンク情報を基に前記情報データベースから検索結果を取り出すステップとを有することを特徴とする通信網を介した情報検索サービス方法。
【請求項６】
請求項１〜５のいずれかにおいて、前記検索サービス業者側は、直接、前記情報データベースへのアクセスが禁止又は制限されていることを特徴とする通信網を介した情報検索サービス方法。
【発明の詳細な説明】
【０００１】
【発明の属する技術分野】
本発明は、検索するユーザ側と検索サービス業者側との間での通信網を介した新規な情報検索サービス方法に係り、特に企業情報等の機密情報の検索を２者間で行う新規な通信網を介した情報検索サービス方法に関する。
【０００２】
【従来の技術】
【特許文献１】特開平３−２３０２３４号公報
図３は、従来の通信網２０を介した情報検索サービス方法の構成及びデータの流れを示す図である。図４は、両者を通信網２０で接続した図である。図３及び図４に示す情報検索サービスでは、検索サービス業者側３０の環境で情報データベース１２及び索引データベース３２を保存管理するものである。ユーザ側１０が情報を検索する場合、検索キーワードを検索サービス業者側３０に送信し、検索サービス業者側３０の検索エンジン３１が受信した検索キーワードで索引データベース３２を検索し、索引データベース３２に登録されているリンク情報より情報データベース１２内の検索結果情報を取り出し、取り出した検索結果情報をユーザ側１０に送信することで可能である。
【０００３】
又、情報の更新が必要となった場合は、ユーザ側１０から検索サービス業者側３０に更新するべき情報を送信し、検索サービス業者側３０で検索サービス業者側３０が管理する情報データベース１２に情報を更新し、更新された情報データベース１２に基づいて索引データベース３２を更新することで可能である。
【０００４】
データベースの検索方法として、
【特許文献１】があるが、上述の情報検索サービス方法については示されていない。
【０００５】
【発明が解決しようとする課題】
従来の情報検索サービス方法として、検索及び更新する情報自身は、画像データなど一般に大容量であり通信網で情報自身をやりとりすることは、通信レスポンスの低下や回線費用の増大が問題となる。また、検索及び更新する情報自身には、企業情報等の外部に漏洩させたくない情報もあり、この情報が通信網を流れること、及び情報自身を検索サービス業者側が管理する（参照、修正できる）ことはセキュリティの面においても問題となる。
本発明の目的は、通信レスポンス速度の低下や回線費用の増大を防止し、検索及び更新する企業情報等の漏洩がなく、セキュリティの面において安全な通信網を介した情報検索サービス方法を提供することにある。
【０００６】
【課題を解決するための手段】
本発明は、情報を検索するユーザ側の環境とその検索結果を提供する検索サービス業者側の環境との通信網を介した情報検索サービス方法において、ユーザ側の環境で検索を行う前記情報を情報データベースで保存管理し、検索サービス業者側の環境では前記情報に含まれるキーワードとそれに対応する情報の位置を指し示すリンク情報とに整理し索引データベースとして保存管理するのを特徴とする通信網を介した情報検索サービス方法にある。
【０００７】
又、本発明は、ユーザ側の環境で情報の元となる情報データベースを保存管理し、検索サービス業者側の環境では索引データベース（検索キーワードと情報データベース内の情報を指し示すリンク情報）を保存管理し、検索サービス業者側が通信網を介して返す検索結果としては情報自身を返さず、ユーザ側が管理する情報データベース内の情報を指し示すリンク情報を返すことを特徴とする通信網を介した情報検索サービス方法にある。
【０００８】
リンク情報は、情報の位置を指し示すファイルパス名やユーザ側要求言語（ＵＲＬ）などである。
【０００９】
本発明は、より具体的には、情報を検索するユーザ側と検索結果をユーザ側に提供する検索サービス業者側との通信網を介した情報検索サービス方法において、前記ユーザ側が検索を行う情報を情報データベースとして保存管理するステップと、前記検索サービス業者側が前記情報に含まれるキーワードとそれに対応する情報の位置を指し示すリンク情報とに整理し索引データベースとして保存管理するステップと、前記ユーザ側から前記検索サービス業者側が通信網を介して検索キーワードを受け取るステップと、前記検索サービス業者側が前記ユーザ側から前記リンク情報を受け取るステップと、前記検索サービス業者側が受け取った前記検索キーワードと前記リンク情報とで前記索引データベースに更新させるステップとを有することを特徴とする通信網を介した情報検索サービス方法にある。
【００１０】
更に、本発明は、情報を検索するユーザ側と検索結果ユーザ側に提供する検索サービス業者側との通信網を介した情報検索サービス方法において、前記ユーザ側が検索を行う情報を情報データベースとして保存管理するステップと、前記検索サービス業者側が前記情報に含まれるキーワードとそれに対応する情報の位置を指し示すリンク情報とに整理し索引データベースとして保存管理するステップと、前記検索サービス業者側が前記ユーザ側から通信網を介して検索キーワードを受け取るステップと、前記検索サービス業者側が前記ユーザ側から受け取った前記検索キーワードが前記索引データベースより見つかれば対応する前記リンク情報を取り出すステップと、前記ユーザ側が前記検索サービス業者側から通信網を介して前記リンク情報を受け取るステップと、前記ユーザ側が受け取った前記リンク情報を基に前記情報データベースから検索結果を取り出すステップとを有することを特徴とする通信網を介した情報検索サービス方法にあり、更に前述の更新された索引データベースよりリンク情報を取り出す方法との組み合わせがある。
【００１１】
前記検索サービス業者側は、直接、前記情報データベースへのアクセスが禁止又は制限されていることを特徴とする。
【００１２】
【発明の実施の形態】
図１は、本発明の通信網を介した情報検索サービス方式を示す説明図である。図２は、ユーザ側１０と検索サービス業者側３０とを通信網２０で接続した説明図である。図２に示すように、情報を検索するユーザ側１０環境内で情報データベース１２を保存管理し、検索結果をユーザ側１０に提供する検索サービス業者側３０環境では前記情報をキーワードとそれに対応する情報の位置を指し示すリンク情報とに整理し索引データベース（索引ＤＢ）３２として管理し、さらに、ユーザ側１０と検索サービス業者側３０は通信網２０で接続されており、ユーザ側１０と検索サービス業者側３０の２者間で情報自身のやりとりを直接行わないようにしたものである。
【００１３】
ユーザ側１０内には、一つまたは複数のユーザ端末１１が存在し、情報データベース１２と、ローカルで高速な通信回線１３で接続されているものとする。また、検索サービス業者側３０内では、検索エンジン３１と索引データベース３２が、ローカルで高速な通信回線３３で接続されているものとする。
【００１４】
又、図１のサービスは、ユーザ側１０で情報データベースを管理し、検索サービス業者側３０の環境で索引データベース３２を管理し、ユーザ側が情報を検索する場合、検索キーワードを検索サービス業者側３０に送信し、検索サービス業者側３０の検索エンジンが受信した検索キーワードで索引データベース３２を検索し、索引データベース３２に登録されているリンク情報よりユーザ側１０が管理する情報データベースより検索結果情報を取り出すことができる。
【００１５】
図５は、図１に示したシステムで索引データベース３２を更新する場合のフローチャートを示す。図５で、▲１▼ユーザ側が更新する必要のある検索キーワードとリンク情報を情報データベース１２より取り出す。▲２▼通信網２０を経てユーザ側１０のユーザ端末１１から更新するべき検索キーワードを送信し、検索サービス業者側３０の検索エンジン３１が検索キーワードを受信する。▲３▼同じく通信網２０を経てユーザ側１０のユーザ端末１１から検索キーワードに対応するリンク情報を送信し、検索サービス業者側３０の検索エンジン３１が情報データベース内の情報を指し示すリンク情報を受信する。▲４▼検索サービス業者側３０の検索エンジン３１は、受け取った検索キーワードとリンク情報で索引データベース（索引ＤＢ）３２を構築・更新することができる。以上のように情報の更新時においても、通信網２０を流れる情報は、検索キーワードとリンク情報だけに限定することが可能である。
【００１６】
従って、検索及び更新する情報自身は、画像データなどの大容量の情報自身をやりとりすることはなく、通信レスポンス速度の低下や回線費用の増大がなくなる。また、検索及び更新する情報自身には、企業情報等の外部に漏洩させたくない情報もあり、この情報が通信網を流れること、及び情報自身をユーザ側１０が管理し検索サービス業者側３０が管理する（参照、修正できる）ことがないので、セキュリティの面においても問題がなくなる。
【００１７】
図６は、図１に示したシステムでユーザが情報を検索する場合のフローチャートを示す。図６で、ユーザの検索を実施したい場合、▲１▼通信網２０を経てユーザ側１０のユーザ端末１１から検索キーワードを送信し、検索サービス業者側３０の検索エンジン３１が検索キーワードを受信する。▲２▼検索エンジン３１では、検索キーワードで検索サービス業者側３０の管理する索引データベース３２を検索する。▲３▼索引データベース（索引ＤＢ）３２より検索キーワードが見つかれば、対応するリンク情報を取り出す。▲４▼通信網２０を経て、検索エンジンがリンク情報を送信し、ユーザ端末１１がリンク情報を受信する。▲５▼ユーザ端末１１は受け取ったリンク情報を基に、ユーザ側１０が管理する情報データベース（情報ＤＢ）１２から検索結果の情報を取り出すことができる。以上のように情報の検索時には、通信網２０を流れる情報は、検索キーワードとリンク情報だけに限定することが可能である。又、図６においては、図５によって得られた更新された索引データベース３２を用いて通信網を介した情報検索サービスを行うことができる。
【００１８】
本実施例においては、情報の検索及び登録時に通信網を介してユーザ側１０と検索サービス業者側３０の間でやりとりする情報を、検索された検索結果情報や登録する情報自身ではなく、リンク情報により行うことにより、通信網での盗聴防止や改ざん防止などのセキュリティ保護が得られる。
【００１９】
又、情報の検索及び登録時に通信網を介してユーザ側と検索サービス業者側の間でやりとりする情報を、情報量の少ないリンク情報にしたことによる通信レスポンスや回線費用削減が得られる。
【００２０】
本実施例においては、検索サービス業者側からはユーザ側の環境で管理する情報データベースへのアクセスを禁止又は制限をかけることができ、それによりセキュリティ保護が得られる。
【００２１】
【発明の効果】
本発明の情報検索方法及びシステムによれば、検索及び更新する情報自身が大容量であっても通信レスポンスの低下や回線費用の増大を防ぐことが可能となる。また、企業情報等の機密情報であっても、この情報が通信網を流れること、及びこの情報をユーザ側が管理するのでセキュリティの面においても安全となる。
【図面の簡単な説明】
【図１】本発明の通信網を介した情報検索サービス方式の構成及びデータのフロー図である。
【図２】本発明のユーザ側と検索サービス業者側とを通信網で接続した情報検索サービス方法の構成及びデータのフロー図である。
【図３】従来の通信網を介した情報検索サービス方式の構成及びデータの流れである。
【図４】従来の通信網を介した情報検索サービス方式の構成及びデータのフロー図である。
【図５】本発明の情報を更新する場合のフロー図である。
【図６】本発明の情報を検索する場合のフロー図である。
【符号の説明】
１０…ユーザ側、１１…ユーザ端末、１２…情報データベース、３０…検索サービス業者側、３１…検索エンジン、３２…索引データベース。
【図１】
2004145417.tif 000003
【図２】
2004145417.tif 000004
【図３】
2004145417.tif 000005
【図４】
2004145417.tif 000006
【図５】
2004145417.tif 000007
【図６】
2004145417.tif 000008